(57)【要約】【課題】効果的な演習を行ない得るようにした各種試験に対する模擬テスト用紙の表現物、およびその表現方法を提供すること。【解決手段】模擬テスト用紙１１を左右に２区分し、該区分された一方の側を設問事例欄１２、他方の側を解答事例欄１４に設定する。設問事例欄１２には、設問事例文１６の所要部分を記号等にぼかした設問表示１５をし、解答事例欄４１には、設問表示１５に対応する解答語句１７からなる解答語句群１８を、該１解答語句１７毎に改行して表示する。模擬テスト用紙１１には、解答事例欄１４の解答語句１７を一時的に遮蔽し得るシート状解答遮蔽部材７１を組み合わせる。【選択図】  図１
2004291610.tif 000002
【特許請求の範囲】
【請求項１】
資格取得、学校入学等の各種試験に対する問題演習の各設問事例文、およびその各解答語句を同一紙面上に各別に表示した模擬テスト用紙の表現物であって、前記模擬テスト用紙は左右方向に区分され、該区分された一方の側に設問事例文を表示する設問事例欄、他方の側に前記設問事例文に対応する解答語句群を表示する解答事例欄を設定し、前記設問事例文の所要部分をそれぞれ空白、記号、伏字等によりぼかして設問表示すると共に、該設問表示に対応する解答語句は前記解答語句群内において１解答語句毎に改行表示して構成され、前記設問事例欄における各設問事例文の設問表示を解答した後に、前記解答事例欄において前記設問表示に対応する解答語句との照合により、前記解答の正誤判断の確認をなし得るようにしたことを特徴とする模擬テスト用紙の表現物。
【請求項２】
資格取得、学校入学等の各種試験に対する問題演習の各設問事例文、およびその各解答語句を同一紙面上に各別に表示した模擬テスト用紙の表現物であって、前記模擬テスト用紙は上下方向に区分され、該区分された一方の側に設問事例文を表示する設問事例欄、他方の側に前記設問事例文に対応する解答語句群を表示する解答事例欄を設定し、前記設問事例文の所要部分を空白、記号、伏字等によりぼかして設問表示すると共に、該設問表示に対応する解答語句は、前記解答語句群内において１解答語句列毎に改行表示して構成され、前記設問事例欄における各設問事例文の設問表示を解答した後に、前記解答事例欄において前記設問表示に対応する解答語句との照合により、前記解答の正誤判断の確認をなし得るようにしたことを特徴とする模擬テスト用紙の表現物。
【請求項３】
資格取得、学校入学等の各種試験に対する問題演習の各設問事例文、およびその各解答語句を同一紙面上に各別に表示した模擬テスト用紙と、少なくとも前記解答語句を一時的に遮蔽することができる広さを有するシート状の解答遮蔽部材とを組み合わせて用いる模擬テスト用紙の表現物であって、前記模擬テスト用紙は左右方向又は上下方向に区分され、該区分された一方の側に設問事例文を表示する設問事例欄、他方の側に前記設問事例文に対応する解答語句群を表示する解答事例欄を設定し、前記設問事例文の所要部分を空白、記号、伏字等によりぼかして設問表示すると共に、該設問表示に対応する解答語句は前記解答語句群内において１解答語句毎又は１解答語句列毎に改行表示して構成され、前記設問事例欄における各設問事例文の設問表示を、前記解答遮蔽部材により前記解答事例欄の解答語句を遮蔽したままの状態で解答した後に、該解答遮蔽部材による遮蔽を開放して前記設問表示に対応する解答語句との照合により、前記解答の正誤判断の確認をなし得るようにしたことを特徴とする模擬テスト用紙の表現物。
【請求項４】
前記解答群内において改行表示される１解答語句又は１解答語句列は、単独列又は複数列で表示されることを特徴とする請求項１乃至３のいずれか１項に記載の模擬テスト用紙の表現物。
【請求項５】
前記模擬テスト用紙が複数枚使用されかつ左右頁に振り分けられた１冊単位の出版物である場合に、左頁においては、折込み部分側には前記設問事例欄、非折込み部分側には前記解答事例欄をそれぞれ配置させ、右頁においては、折込み部分側には前記設問事例欄、非折込み部分側には前記解答事例欄をそれぞれ配置させたことを特徴とする請求項１乃至４のいずれか１項に記載の模擬テスト用紙の表現物。
【請求項６】
前記解答遮蔽部材は、前記模擬テスト用紙の端縁又は折込み部分に当てて摺動案内可能な手段を備えていることを特徴とする請求項１乃至５のいずれか１項に記載の模擬テスト用紙の表現物。
【請求項７】
資格取得、学校入学等の各種試験に対する問題演習の各設問事例文、およびその各解答語句を同一紙面上に各別に表示した模擬テスト用紙を用いる模擬テストの表現方法であって、前記模擬テスト用紙は左右方向又は上下方向に区分され、該区分された一方の側に設問事例文を表示する設問事例欄、他方の側に前記設問事例文に対応する解答語句群を表示する解答事例欄を設定し、前記設問事例文の所要部分を空白、記号、伏字等によりぼかして設問表示すると共に、該設問表示に対応する解答語句は前記解答語句群内において１解答語句毎又は１解答語句列毎に改行表示して構成され、前記設問事例欄における各設問事例文の設問表示を解答した後に、前記解答事例欄において前記設問表示と対応する解答語句との照合により、前記解答の正誤判断の確認をなし得るようにしたことを特徴とする模擬テスト用紙の表現方法。
【発明の詳細な説明】
【０００１】
【発明の属する技術分野】
本発明は、資格取得、学校入学等の各種試験に対する問題演習に使用される模擬テスト用紙の表現物、およびその表現方法に関する。
【０００２】
【従釆の技術】
従来から、この種の試験に対する問題演習に使用される模擬テスト用紙として、各設問事例文の所要部分を空白にして設問とし、その空白に埋める語句を解答として構成するいわゆる穴埋め式問題集は種々存在する。例えば、設問事例文と解答語句を通常の印刷方法により表示し、書籍の別紙部分や別冊に設問と解答を別々に設けて構成したもの、あるいは、図７に示すように、模擬テスト用紙５１の設問事例文５６の設問部分を二色印刷により色違いで表示して、同色透明のカラーシート６２を組み合わせて解答語句５５を隠すようにしたものが代表的である。
【０００３】
【特許文献】
特開２００２−３５１３０３
【０００４】
【発明が解決しようとする課題】
しかしながら、前者の穴埋め式問題集では、設問事例文に対する解答語句を確認するためにはいちいち解答の頁をめくる必要があり、また、後者の穴埋め式問題集では、１の解答語句を見ようとしてカラーシートをずらすと、同時に他の解答語句も見えてしまうという不都合が生じ、この結果、各種試験に対する問題演習が効率的に行なわれないという問題点があった。
【０００５】
本発明は、このような問題点を解決するためのもので、その目的とするところは、各種試験に対する問題演習に使用する模擬テスト用紙において、同一紙面上に問題と解答を表示することができ、かつ１の解答語句を見ても他の解答語句が見えることがないため、きわめて効率的な問題演習を行ない得る槙擬テスト表示の表現物、およびその表現方法を提供することである。
【０００６】
【課題を解決するための手段】
上記目的を違成するために、本発明に係る請求項１に記載された発明は、資格取得、学校入学等の各種試験に対する問題演習の各設問事例文、およびその各解答語句を同一紙面上に各別に表示した模擬テスト用紙の表現物であって、前記模擬テスト用紙は左右方向に区分され、該区分された一方の側に設問事例文を表示する設問事例欄、他方の側に前記設問事例文に対応する解答語句群を表示する解答事例欄を設定し、前記設問事例文の所要部分をそれぞれ空白、記号、伏字等によりぼかして設問表示すると共に、該設問表示に対応する解答語句は前記解答語句群内において１解答語句毎に改行表示して構成され、前記設問事例欄における各設問事例文の設問表示を解答した後に、前記解答事例欄において前記設問表示に対応する解答語句との照合により、前記解答の正誤判断の確認をなし得るようにした模擬テスト用紙の表現物であることを特徴とする。
したがって、特に意識しない限りは、各設問事例文の設問表示を解答した後に対応する解答語句のみを確認することができ、他の解答語句を見ないで済む効率的な演習を行なうことができる。
【０００７】
本発明に係る請求項２に記載された発明は、資格取得、学校入学等の各種試験に対する問題演習の各設問事例文、およびその各解答語句を同一紙面上に各別に表示した模擬テスト用紙の表現物であって、前記模擬テスト用紙は上下方向に区分され、該区分された一方の側に設問事例文を表示する設問事例欄、他方の側に前記設問事例文に対応する解答語句群を表示する解答事例欄を設定し、前記設問事例文の所要部分を空白、記号、伏字等によりぼかして設問表示すると共に、該設問表示に対応する解答語句は、前記解答語句群内において１解答語句列毎に改行表示して構成され、前記設問事例欄における各設問事例文の設問表示を解答した後に、前記解答事例欄において前記設問表示に対応する解答語句との照合により、前記解答の正誤判断の確認をなし得るようにした模擬テスト用紙の表現物であることを特徴とする。
したがって、特に意識しない限りは、各設問事例文の設問表示を解答した後に対応する解答語句列内における解答語句のみを確認することができ、他の解答語句列を見ないで済む効率的な演習を行なうことができる。
【０００８】
本発明に係る請求項３に記載された発明は、資格取得、学校入学等の各種試験に対する問題演習の各設問事例文、およびその各解答語句を同一紙面上に各別に表示した模擬テスト用紙と、少なくとも前記解答語句を一時的に遮蔽することができる広さを有するシート状の解答遮蔽部材とを組み合わせて用いる模擬テスト用紙の表現物であって、前記模擬テスト用紙は左右方向又は上下方向に区分され、該区分された一方の側に設問事例文を表示する設問事例欄、他方の側に前記設問事例文に対応する解答語句群を表示する解答事例欄を設定し、前記設問事例文の所要部分を空白、記号、伏字等によりぼかして設問表示すると共に、該設問表示に対応する解答語句は前記解答語句群内において１解答語句毎又は１解答語句列毎に改行表示して構成され、前記設問事例欄における各設問事例文の設問表示を、前記解答遮蔽部材により前記解答事例欄の解答語句を遮蔽したままの状態で解答した後に、該解答遮蔽部材による遮蔽を開放して前記設問表示に対応する解答語句との照合により、前記解答の正誤判断の確認をなし得るようにした模擬テスト用紙の表現物であることを特徴とする。
したがって、解答語句を解答遮蔽部材により遮蔽した状態で設問事例文の設問表示を解答した後その遮蔽を開放し、対応する解答語句又のみを確認することができ、他の解答語句を全く見ないで済むきわめて効率的な演習が可能となる。
【０００９】
本発明に係る請求項４に記載された発明は、前記解答群内において改行表示される１解答語句又は１解答語句列は、単独列又は複数列で表示される請求項１乃至３のいずれか１項に記載の模擬テスト用紙の表現物であることを特徴とする。したがって、解答語句を複数列で表示して、模擬テスト用紙のスペースを節約しながら、各設問事例文の設問表示を解答した後に対応する解答語句列内における解答語句のみを確認することができる。
【００１０】
本発明に係る請求項５に記載された発明は、前記模擬テスト用紙が複数枚使用されかつ左右頁に振り分けられた１冊単位の出版物である場合に、左頁においては、折込み部分側には前記設問事例欄、非折込み部分側には前記解答事例欄をそれぞれ配置させ、右頁においては、折込み部分側には前記設問事例欄、非折込み部分側には前記解答事例欄をそれぞれ配置させた請求項１乃至４のいずれか１項に記載の模擬テスト用紙の表現物であることを特徴とする。請求項６に記載された発明は、前記解答遮蔽部材は、前記模擬テスト用紙の端縁又は折込み部分に当てて摺動案内可能な手段を備えている請求項１乃至５のいずれか１項に記載の模擬テスト用紙の表現物であることを特徴とする。
したがって、例えば、穴埋め式問題集において開放された端縁を利用して解答遮蔽部材を安定して摺動させ、設問事例文の設問表示を解答した後、対応する解答語句を迅速かつ連続的に確認して行くことができる。
【００１１】
本発明に係る請求項７に記載された発明は、資格取得、学校入学等の各種試験に対する問題演習の各設問事例文、およびその各解答語句を同一紙面上に各別に表示した模擬テスト用紙を用いる模擬テストの表現方法であって、前記模擬テスト用紙は左右方向又は上下方向に区分され、該区分された一方の側に設問事例文を表示する設問事例欄、他方の側に前記設問事例文に対応する解答語句群を表示する解答事例欄を設定し、前記設問事例文の所要部分を空白、記号、伏字等によりぼかして設問表示すると共に、該設問表示に対応する解答語句は前記解答語句群内において１解答語句毎又は１解答語句列毎に改行表示して構成され、前記設問事例欄における各設問事例文の設問表示を解答した後に、前記解答事例欄において前記設問表示と対応する解答語句との照合により、前記解答の正誤判断の確認をなし得るようにした模擬テスト用紙の表現方法であることを特徴とする。
【００１２】
【発明の実施の形態】
以下、本発明に係る模擬テスト用紙の表現物、およびその表現方法の実施形態につき、添付図面を参照して詳細に説明する。なお、本実施形態においては、各種の資格取得、学校入学試験の中で、弁理士資格取得試験に対する問題演習のための模擬テスト用紙の表現物、およびその表現方法にのみ限定して述べるが、当然、その他の同様な取得試験に対しても適用可能であることは言うまでもない。
【００１３】
図１は本発明の一実施形態を適用した模擬テスト用紙の表現物の概要構成を示す正面図であり、図２（ａ）（ｂ）はその要部の各別例をそれぞれに拡大して示す説明図である。また、図３（ａ）（ｂ）は模擬テスト用紙の表現物に付加される解答遮蔽部材の各別例をそれぞれに示す斜視図である。図４（ａ）（ｂ）はその使用方法を簡略化してそれぞれに示す斜視略図である。
【００１４】
これらの各図において、本実施形態による模擬テスト用紙の表現物１０は、所要表示面積の模擬テスト用紙１１からなり、該模擬テスト用紙１１の表示面は、これを左右方向に区分され、該区分された一方の左側を設問事例文１６を表示する設問事例欄１２、他方の右側を設問事例文１６に対応する解答語句１７からなる解答語句群１８を表示する解答事例欄１４に設定してある。
【００１５】
そして、設問事例欄１２における各設問事例文１６としては、図１に示すように、例えば、「特許法・第１条
（目的）」の条文が採用され、“この法律は、発明の保護及び利用を図ることにより、発明を奨励し、もって産業の発達に寄与することを目的とする。”との設問事例文１６の中の所要部分を、例えば、数字、アルファベット、カタカナ、図形等からなる設問表示１５により、すなわち、ここでは、該当する第１の所要部分の「保護」の語句を（１）に置き換えて表示し、第２の所要部分の「利用」の語句を（２）に置き換えて表示し、第３の所要部分での「奨励」の語句を（３）に置き換えて表示し、第４の所要部分での「産業の発達」の語句を（４）に置き換えて表示してある。
また、ここでは、模擬テスト用紙１１の省スペース化を図るため、各設問事例文１６は横書きとしてある。
【００１６】
また、解答事例欄１４における各解答語句１７としては、図２（ａ）に示すように、例えば、前記置き換えられた語句「保護」を前記設問表示１５の番号１と共に表示し、前記置き換えられた語句「利用」を前記設問表示１５の番号２と共に表示し、前記置き換えられた語句「奨励」を前記設問表示１５の番号３と共に表示し、前記置き換えられた語句「産業の発達」を前記設問表示１５の番号４と共に表示して解答語句１７としてある。そして、１の設問事例文１６の中に複数の設問表示１５が存在することより、解答語句群１８が設問事例文１６の位置にほぼ対応して形成され、解答語句群１８内において各解答語句１７は１解答語句毎に改行表示１９してある。
なお、模擬テスト用紙１１の見易さを考慮する場合には、図２（ａ）に示すように、各解答語句１７は単数列に表示し、模擬テスト用紙１１の省スペース化を考慮する場合には、図２（ｂ）中の１７（ａ）及び１７（ｂ）に示すような複数列で表示するが、そのいずれを採用しても良い。
【００１７】
次に、解答遮蔽部材２０は、少なくとも１の解答語句１７を一時的に遮蔽することができる広さからなる薄板であって、例えば、少なくとも最も長い解答語句１７の幅以上の所要幅２５と少なくとも解答語句１７の１改行幅以上の所要長さ２６を有し、図３（ａ）に示すように、その一側縁部が僅かに折り返されてガイド部２４が設けられている。その素材は、解答語句１７が透けて見えることがないものであれば、特に限定はなく、紙、合成樹脂、金属等、どのような素材でも採用できる。
【００１８】
また、解答遮蔽部材２０は、模擬テスト用紙１１を使用して問題演習をする者が自ら用意するものでも良いが、模擬テスト用紙１１が複数頁からなる問題集等の出版物では予め添付しても良い。なお、問題演習をする者が自ら用意する場合には、ガイド部２４を形成せずに、不透明な素材を所要の広さに切断すれば、解答遮蔽部材２０として使用可能であり、例えば、図３（ｂ）に示すような単なる１枚の紙片２７であっても何ら差し支えない。
【００１９】
以下、本実施形態による模擬テスト用紙１１の表現物１０の使用方法について説明する。模擬テスト用紙１１により問題演習をしようとする場合、学習者は、解答遮蔽部材２０のガイド部２４を模擬テスト用紙１１の解答事例欄１４側の端縁に当てながら、解答遮蔽部材２０により解答語句１７の一部を隠した状態で、設問事例欄１２にある設問事例文１６の設問表示１５である設問（１）の解答を試みる。正誤を確認するには、解答遮蔽部材２０を端縁に沿ってやや下方にずらし、隠されていた設問（１）に対応する解答語句１７の遮蔽を開放すれば良い。続いて、設問事例文１６中の次の設問表示１５である設問（２）の解答を試みて、解答遮蔽部材１７をさらに下方にずらし、設問（２）に対する解答語句１７の遮蔽を開放すれば、その正誤を簡単に確認できる。
【００２０】
このように、解答遮蔽部材２０を順次に下方あるいは上方に摺動操作してゆくことにより、模擬テスト用紙１１においては連続的に演習を繰り返すことができ、しかも、解答語句群１８内における各解答語句１７は１の解答語句毎に改行表示１９されているため、１の解答語句１７を見た場合でも、次の設問に対する解答語句１７が見えてしまうことはない。したがって、解答語句１７の正誤をきわめて効率的に演習することができる。
【００２１】
一方、図２（ｂ）中に示された１７（ａ）及び１７（ｂ）のごとく、ひとつの解答語句群１８内で１の解答語句毎に改行表示された解答語句１７が複数列に表示されている場合あっても、設問（１）の解答語句Ｘを見たとき同時に見える解答語句Ｙは通常いくつか先の設問に対する解答語句であり、次の設問（２）に対する解答語句Ｚが問題を解く前に見えてしまうということはないから、演習の効率に何ら支障が生じることはない。
【００２２】
次に、図５は、本発明の第２の実施形態である模擬テスト用紙を複数枚使用した表現物３０の概要構成を示す斜視図である。
表現物３０は、複数枚の模擬テスト用紙１１が左右の各頁に使用されて製本化された１冊単位の出版物であり、例えば、穴埋め式問題集３１がこれに該当する。
【００２３】
穴埋め式問題集３１は、それぞれ左右の頁を開いた状態で使用するもので、この見開き状態において、右頁における模擬テスト用紙１１（ａ）は第１の実施形態における模擬テスト用紙１１と全く同様の構成を採用しており、左頁における模擬テスト用紙１１（ｂ）の表示面は、これを左右方向に区分され、該区分された一方の右側を設問事例文１６を表示する設問事例欄１２、他方の左側を設問事例文１６に対応した解答語句群１８を表示する解答事例欄１４とし、右頁に対し反転して設定してある。
【００２４】
このような穴埋め式問題集３１の使用方法は、右頁の模擬テスト用紙１１（ａ）の問題演習をする場合には、第１の実施形態における模擬テスト用紙１１の使用方法と全く同様であり、左頁の模擬テスト用紙１１（ｂ）の問題演習をする場合には、解答遮蔽部材２０のガイド部２４を左頁の模擬テスト用紙１１（ｂ）の端縁に当てながら、設問事例文１６の設問表示１５である設問（１）の解答を試み、前記同様に解答遮蔽部材２０を下方にずらして解答語句１７を確認すれば良い。同様に、次の設問表示１５となる設問（２）に対する解答を連続して試みることもでき、１冊単位の穴埋め式問題集３１において効率的な問題演習をすることができる。
【００２５】
一方、穴埋め式問題集３１において、左頁の模擬テスト用紙１１（ｂ）を右頁の模擬テスト用紙１１（ａ）と同様の構成、すなわち、表示面を左右方向に区分し、該区分された一方の左側を設問事例文１６を表示する設問事例欄１２、他方の右側を設問事例文１６に対応した解答語句群１８を表示する解答事例欄１４に設定することもできる。その場合には、右頁と左頁の間で製本時に合綴された折り込み部分３２から形成される案内基準面３３に対し、解答遮蔽部材２０を表裏逆方向として、そのガイド部２４の面を当接し、解答遮蔽部材２０を下方にずらせば、その摺動操作の円滑化を図ることができる。
【００２６】
さらに、図６は、本発明の第３の実施形態である模擬テスト用紙の表現物４０の概要構成を示す斜視図である。本実施形態においては、前記までの模擬テスト用紙の紙面を左右に区分し、一方の側に設問事例欄を配し、他方の側に解答事例欄を配した、いわゆる縦割り配置の構成ではなく、模擬テスト用紙４１の紙面を上下に区分し、上方側に設問事例欄４２を配し、下方側に解答事例欄４４を配した構成、いわゆる横割り配置の構成としたものである。
【００２７】
模擬テスト用紙４１においては、設問事例欄４２における各設問事例文４６の表示方法は前記までの実施形態と同様であるのに対し、解答事例欄４４における各解答語句４７は１解答語句毎に改行表示されるのではなく、１解答語句列４８（ａ）及び４８（ｂ）毎に改行表示４９される。
【００２８】
模擬テスト用紙４１の使用方法は、第１の実施形態の模擬テスト用紙１１の使用方法と何ら変わるものではなく、解答遮蔽部材２０のガイド部２４を左頁又は右頁の模擬テスト用紙４１の下方端縁に当て、所要の解答語句４７を隠した状態で、設問表示４５である設問（１）の解答を試みる。解答の正誤を確認するには、解答遮蔽部材２０を右方向にずらして対応する解答語句４７の遮蔽を開放する。
【００２９】
解答遮蔽部材２０を順次に右方にずらして摺動操作すれば、連続的に設問に対する演習を行なうことができ、１の設問表示４５に対応する１の解答語句４７を見た場合でも、次の設問表示４５に対応する解答語句４７が見えてしまうことはない。
また、各解答語句４７は１の解答語句列４８（ａ）及び４８（ｂ）毎に改行表示４９されているため、ひとつの設問事例文４６中の設問表示４５の全てについて解答語句４７を順次確認することができる。
【００３０】
なお、設問（２）の解答語句Ｘを確認しても、同時に見える解答語句Ｙは先の設問事例文に対する解答であるから、次の設問（３）の解答語句Ｚが見えることはなく、前記同様、問題演習の効率に何ら支障は生じない。
【００３１】
以上、本発明に係る模擬テスト用紙の表現物、およびその表現方法について、いくつかの実施形態を説明したが、それを以って本発明を限定するものではなく、この発明の精神を逸脱しない限り、種々の改変を加えることができることはいうまでもない。
例えば、本発明に係る模擬テスト用紙の表現物の構成は、紙や書籍に印刷表示するのみならず、コンピュータのディスプレイ画面上に表示することもでき、かかる場合は、効率的な問題演習が同様に可能となる。
【００３１】
さらに、上記実施形態では、模擬テスト用紙を左右方向又は上下方向で２区分する場合のみを説明したが、同様な方向で４区分する場合、あるいはそれ以上に区分する場合であっても、模擬テスト用紙の大きさによっては全く同様の効果を生じさせることができることはいうまでもない。
【００３２】
【発明の効果】
上記したように、本発明に係る模擬テスト表示の表現物、およびその表現方法によれば、設問事例文の設問表示を解答した後に対応する解答語句のみを容易に確認することができ、その確認にあたり、他の解答語句を見ないで連続的な演習を行なうことができる。また、解答遮蔽部材を使用する場合には、設問事例文の設問表示を解答した後、解答語句の遮蔽を開放する作業により、対応する解答語句のみを確認することができ、次の設問に対する他の解答語句を全く見ないで連続的かつ迅速的な演習が可能となる。
【図面の簡単な説明】
【図１】本発明に係る模擬テスト用紙の第１の実施形態の概要構成を示す正面図である。
【図２】第１の実施形態の要部の各別例をそれぞれに示す説明図である。
【図３】本発明に係る模擬テスト用紙に付加される解答遮蔽部材の各別例をそれぞれに示す斜視図である。
【図４】本発明に係る模擬テスト用紙と解答遮蔽部材の使用方法を簡略化してそれぞれに示す斜視略図である。
【図５】本発明に係る模擬テスト用紙の表現物の第２の実施形態の概要構成を示す斜視図である。
【図６】本発明に係る模擬テスト用紙の表現物の第３の実施形態の概要構成を示す斜視図である。
【図７】従来の穴埋め式問題集の一実施形態を示す斜視図である。
【符号の説明】
１０  模擬テスト用紙の表現物
１１  模擬テスト用紙
１２  設問事例欄
１４  解答事例欄
１５  空白
１６  設問事例文
１７  解答語句
１８  解答語句群
１９  改行表示
２０  解答遮蔽部材
２４  ガイド部
２５  所要幅
２５  所要長さ
２７  紙片
３０  模擬テスト用紙を複数枚使用した表現物
３１  穴埋め式問題集
３２  折り込み部分
３３  案内基準面
４０  模擬テスト用紙の表現物
４１  模擬テスト用紙
４２  設問事例欄
４４  解答事例欄
４５  指定表示
４６  設問事例文
４７  解答語句
４８  解答語句列
４９  改行表示
【図１】
2004291610.tif 000003
【図２】
2004291610.tif 000004
【図３】
2004291610.tif 000005
【図４】
2004291610.tif 000006
【図５】
2004291610.tif 000007
【図６】
2004291610.tif 000008
【図７】
2004291610.tif 000009